(57)【要約】【課題】変化に富んだ任意の模様を形成することができるモルタルの仕上げ工法を提供することである。【解決手段】モルタルの仕上げ工法は、仕上げ面に仕上げ材としてのモルタル３を塗った後、該仕上げモルタル３が乾かない湿潤状態のうちにその表面に顔料４を載せ、該顔料４を仕上げモルタル３に塗り込んで任意の模様５を形成し、この上に仕上げ塗装６をすることである。【選択図】図１
2007303121.tif 000002
【特許請求の範囲】
【請求項１】
仕上げ面に仕上げ材としてのモルタルを塗った後、該仕上げモルタルが乾かない湿潤状態のうちにその表面に顔料を載せ、該顔料を仕上げモルタルに塗り込んで任意の模様を形成し、この上に仕上げ塗装をすることを特徴とするモルタルの仕上げ工法。
【請求項２】
顔料は無機質顔料または有機質顔料であり、少なくとも一種類以上を載せることを特徴とする請求項１に記載のモルタルの仕上げ工法。
【発明の詳細な説明】
【技術分野】
【０００１】
本願発明はコンクリート構造物における建物の外壁、内壁または床にモルタルで仕上げを施すモルタルの仕上げ工法に関するものである。
【背景技術】
【０００２】
従来、レリーフなどが施されたコンクリート構造物の表層材には、モルタルに顔料を混入した、いわゆるカラーモルタルが使用されている。このカラーモルタルは、上記の他にもコンクリート構造物における建物の外壁、内壁または床の仕上げ材としても使用されている。またその他のモルタルの仕上げ工法としては、例えば特開平１１−７９８１５号公報、特開２０００−１９２４０６号公報の発明が開示されている。
【特許文献１】特開平１１−７９８１５号公報
【特許文献２】特開２０００−１９２４０６号公報
【発明の開示】
【発明が解決しようとする課題】
【０００３】
しかし、上記のようなモルタルの仕上げ工法は、ほとんどがカラーモルタルを使用しているために単純な模様となって、変化に富んだ模様を形成することが困難であり、変化に富んだ模様を形成するには煩雑な作業を必要とした。
【０００４】
本願発明は上記のような問題に鑑みてなされたものであり、その目的は、変化に富んだ模様を簡単に形成することができるモルタルの仕上げ工法を提供することである。
【課題を解決するための手段】
【０００５】
以上の課題を解決するためのモルタルの仕上げ工法は、仕上げ面に仕上げ材としてのモルタルを塗った後、該仕上げモルタルが乾かない湿潤状態のうちにその表面に顔料を載せ、該顔料を仕上げモルタルに塗り込んで任意の模様を形成し、この上に仕上げ塗装をすることを特徴とする。また顔料は無機質顔料または有機質顔料であり、少なくとも一種類以上を載せることを含むものである。
【発明の効果】
【０００６】
仕上げ面に仕上げ材としてのモルタルを塗った後、該仕上げモルタルが乾かない湿潤状態のうちにその表面に顔料を載せ、該顔料をコテで仕上げモルタルに塗り込むことにより、任意の模様を簡単に形成することができる。また仕上げモルタルが乾かない湿潤状態のうちにその表面に顔料を載せ、これをコテで仕上げモルタルに塗り込むことにより、顔料で形成される模様と仕上げモルタルとのなじみが良くなるので、この模様が簡単に剥離したりすることがない。また仕上げモルタルの表面に一種類以上の顔料を載せることにより、これらの顔料が互いに混じり合ったカラフルな模様を自由に形成することができる。また一種類以上の顔料を自由に混ぜ合わせることができるので、どのような模様も簡単に形成することもできる。
【発明を実施するための最良の形態】
【０００７】
以下、本願発明のモルタルの仕上げ工法についての実施の形態を図面に基づいて詳細に説明する。
本願発明のモルタルの仕上げ工法の適用箇所は、コンクリート構造物における建物の外壁、内壁または床、およびその他のコンクリート構造物、およびその他、モルタル仕上げの必要な全ての箇所が対象になるが、本実施の形態においては建物における床を対象に説明する。
【０００８】
まず、図１に示すように、床１における下床２の上面に仕上げ材としてモルタル３を打設し、これをコテで均して仕上げを行う。このモルタル３はセメントと砂を水で混合した通常のものであり、打設厚などは適宜決定される。
【０００９】
次に、図２に示すように、この仕上げモルタル３が乾かない湿潤状態のうちに、この上に顔料４を設置する。この顔料４は仕上げモルタル３の全面にわたって適宜間隔ごとに設置するか、あるいはコテでの塗り込み作業を行う箇所のみに設置するようにする。また顔料４は、例えば酸化鉄などの無機質顔料を使用するが、その他、例えばアゾ顔料などの有機質顔料を使用することもできる。またこれらの顔料４は一種類か、あるいは二種類以上を使用し、形成する模様に合わせて適宜選択するものとする。
【００１０】
次に、図３に示すように、仕上げモルタル３が乾かない湿潤状態のうちに、顔料４をコテで伸ばしながら模様５を形成して、仕上げモルタル３に塗り込むものとする。この模様５は予め決められた原図に基づいて形成するが、模様５を予め決めずに施工者のコテの塗り込み方によって自由に形成することもできる。
【００１１】
このように施工者がコテによって模様５を形成するため、機械などではできない非常に緻密かつ繊細な模様５を任意に形成することができ、手作業による独特の模様５にすることができる。
【００１２】
したがって顔料４の種類や、施工者の技量に応じて、何の制約も受けることなく様々な模様５を形成することができ、カラフルな模様５や好みに合った模様５を自由に形成することができるようになる。
【００１３】
また仕上げモルタル３が乾いていない湿潤状態のときに、顔料４をコテで塗り込むことにより、模様５が仕上げモルタル３と一体になり、かつその一部になるため、剥がれ落ちたりすることがない。特に、無機質顔料４を使用すると劣化することがなく、月日の経過とともに重厚感を増した深みのある模様５にすることができる。
【００１４】
次に、図４に示すように、上記の仕上げモルタル３や模様５が乾いた後に、この上から仕上げ塗装６、例えばクリヤーやカラークリヤーなどを吹き付け、またはローラー塗布して模様５を保護するものとする。
【００１５】
上記のように本実施の形態は仕上げ面としての床１を対象に説明したが、この床１の他に、仕上げ面として建物の内壁および外壁、あるいはその他の仕上げが必要な箇所ならば、どこでも本願発明の工法を適用することができ、しかも上記と同じ方法によって施工することができる。
【図面の簡単な説明】
【００１６】
【図１】モルタルの仕上げ工法であり、（１）は下床の上面に仕上げ材としてのモルタルを塗った断面図、（２）は同平面図である。
【図２】モルタルの仕上げ工法であり、（１）は乾いていない湿潤状態の仕上げモルタルの上面に顔料を載せた断面図、（２）は同平面図である。
【図３】モルタルの仕上げ工法であり、（１）は湿潤状態の仕上げモルタルの上面に顔料を塗り込んだ断面図、（２）は同平面図である。
【図４】モルタルの仕上げ工法であり、（１）は顔料を塗り込んだ仕上げモルタルの上面に仕上げ塗装を施した断面図、（２）は同平面図である。
【符号の説明】
【００１７】
１  床
２  下床
３  仕上げモルタル
４  顔料
５  模様
６  仕上げ塗装
【図１】
2007303121.tif 000003
【図２】
2007303121.tif 000004
【図３】
2007303121.tif 000005
【図４】
2007303121.tif 000006